(57)【要約】【課題】便蓋を全開位置で停止させた際に振動が生じることを、確実に抑制する。【解決手段】便器の上面に設けられるケーシングと、前記ケーシングに回動可能に軸支された便蓋と、前記便蓋の後縁部と当接して前記便蓋を開放位置で停止させるストッパと、を備え、前記ストッパは、前記ケーシングの背面部から突設されているとともに、前記ストッパ上面に前記背面部から遠ざかる方向に向かって下り傾斜している傾斜部を有することを特徴とするトイレ装置。【選択図】図４
2014094189.tif 000002
【特許請求の範囲】
【請求項１】
便器の上面に設けられるケーシングと、
前記ケーシングに回動可能に軸支された便蓋と、
前記便蓋の後縁部と当接して前記便蓋を開放位置で停止させるストッパと、を備え、
前記ストッパは、前記ケーシングの背面部から突設されているとともに、前記ストッパ上面に前記背面部から遠ざかる方向に向かって下り傾斜している傾斜部を有することを特徴とするトイレ装置。
【請求項２】
前記傾斜部が上向きに凸となるように湾曲していることを特徴とする請求項１記載のトイレ装置。
【発明の詳細な説明】
【技術分野】
【０００１】
本発明は、便蓋を開閉自在に有するトイレ装置に関し、詳しくは便蓋を開いた際の揺れを抑制する為の技術に関するものである。
【背景技術】
【０００２】
便器上には、トイレ装置が設置されることが通常である。このトイレ装置は、便器後部上面に設置されるケーシングと、このケーシングに回動可能に連結される便座と、同じくケーシングに回動可能に連結されて便座上を開閉する便蓋とで主体を構成するものである。上記便蓋はその基端部分の左右両側に形成されるヒンジ部が、ケーシングから左右両側に突設される支持軸に嵌合することで、該ヒンジ部を介してケーシングに回動可能に連結されるようになっている。便蓋は、所定の開位置（以下、これを「全開位置」という）にて開動作を停止するものであり、この全開位置にて確実に停止させる為に、便蓋の基端部分から突設される接触部と、ケーシング側に形成されるストッパとを全開位置にて当接させる構造が用いられている（特許文献１参照）。
【０００３】
上述したストッパは、便蓋の基端部分から突設される接触部と、ケーシング側に形成されるストッパとを全開位置にて当接させる構造として、便蓋の開放を停止させていた。しかし、便蓋を開けるとストッパが使用者に見えてしまい見栄えが悪いという問題があった。また、ケーシング側のヒンジ部にストッパが形成されているので、清掃性しづらくなっていた。
【０００４】
別の従来技術について図５に基づいて説明する。この図５に示される通り、上述した意匠性・清掃性を向上させるために、ケーシング４００側のヒンジ部３３０に形成されていたストッパ４１０をケーシング４００の背面部４２０に形成されたトイレ装置があった。該トイレ装置の便蓋３００の開放を停止させる為には、便蓋３００の後縁部３１０とストッパ４１０を当接させる構造とされている。ストッパ４１０は背面部４２０から突出した構造をしており、直方体となっている。便蓋３００の後縁部３１０とストッパ４１０である直方体の上面が当接して、全開位置にて開動作を停止させていた。（図５（ａ）（ｂ）参照）
【０００５】
背面部４２０にストッパ４１０を設けることで、使用者からはストッパ４１０が視認しづらいので意匠性が向上する。また、ストッパ４１０は背面部４２０を拭くだけで、ストッパ４１０の清掃も簡単に行うことができる。
【０００６】
しかし、ストッパ４１０をケーシング４００の背面部４２０に設けたトイレ装置にあっては、便蓋が勢い良く開動作された場合には便蓋３００の停止時に大きな振動や衝撃が発生してしまうという問題がある。即ち、手動又は電動にて勢い良く開動作を行った便蓋３００は、その便蓋３００の後縁部３１０がケーシング４００の背面部４２０に形成されるストッパ４１０の上面に勢い良く衝突し、この衝突の際に後縁部３１０がストッパ４１０からの反発力をダイレクトに受けて大きく跳ね返ることで便蓋３００全体に振動を発生させるのである。振動によって便蓋３００の開閉動作の品質を大幅に低下させてしまう。またケーシング４００への衝撃によって、軸支された便座が少し持ち上がり、便器にぶつかるので異音が発生するという問題もある。
【０００７】
別の問題として、清掃時に便蓋３００の裏面を拭くときに外力がかかり、当接していた便蓋３００の後縁部３１０が弾性変形によりストッパ４１０よりも奥側に変形し、ストッパ４１０から脱落して、異音が発生し使用者に故障を連想させたり、不快感や不安感を与えたりしてしまう。
【０００８】
上記問題に対して、ストッパ４１０を後方へ長くする構造が考えられるが、奥行きが長くなると使用者からストッパ４１０が見える可能性があり、意匠性が損なわれる。また、無理な外力をストッパ４１０で受けるので、力を逃がすことができずに、ヒンジ部３３０から便蓋３００が外れてしまう。
【先行技術文献】
【特許文献】
【０００９】
【特許文献１】特開２００６−１６７３０７号公報
【発明の概要】
【発明が解決しようとする課題】
【００１０】
本発明は上記問題点に鑑みて発明したものであって、便蓋を全開位置で停止させた際に、振動を生じることが確実に抑制されたトイレ装置を提供することを課題とするものである。
【課題を解決するための手段】
【００１１】
上記課題を解決するために本発明に係るトイレ装置は、便器の上面に設けられるケーシングと、前記ケーシングに回動可能に軸支された便蓋と、前記便蓋の後縁部と当接して前記便蓋を開放位置で停止させるストッパと、を備え、前記ストッパは、前記ケーシングの背面部から突設されているとともに、前記ストッパ上面に前記背面部から遠ざかる方向に向かって下り傾斜している傾斜部を有する。
【００１２】
このように構成された発明によれば、開動作中の便蓋は、後縁部が傾斜部に沿って全開位置に至ることになり、後縁部と傾斜部の摩擦により後縁部とストッパの衝突の勢いを弱めることができる。従って便蓋が勢い良く開動作された場合であっても、便蓋が全開位置にて停止する際に便蓋の揺れや振動を生じることが確実に抑制されるものである。また全開位置の便蓋が外力を受けても、傾斜に沿って後方に摺接するので、ストッパからの脱落という急激な変化は起こらない。また後縁部を後方へ弾性変形させるため、左右端は内側に変形しようとするのでヒンジ部の開き方向への変形を抑制できる。
【００１３】
本発明において、好ましくは、前記傾斜部が上向きに凸となるように湾曲している。
【００１４】
このように構成された発明によれば、後縁部は湾曲している傾斜部に摺接して、所定の全開位置にて停止するので、後縁部とストッパの衝突の勢いを弱めることができる。
【発明の効果】
【００１５】
本発明の態様によれば、便蓋を全開位置で停止させた際に、振動を生じることが確実に抑制されたトイレ装置を提供することができるという効果を奏する。
【図面の簡単な説明】
【００１６】
【図１】本発明の実施の形態にかかるトイレ装置を例示する斜視模式図
【図２】図１の便蓋が開いている状態の斜視模式図
【図３】（ａ）実施の形態にかかるトイレ装置の平面図                                  （ｂ）平面図のストッパ付近の拡大図
【図４】（ａ）実施の形態にかかる便蓋が閉じている状態のストッパ付近の側面図          （ｂ）便蓋が開いている状態のストッパ付近の側面図
【図５】（ａ）従来のトイレ装置にかかる便蓋が閉じているストッパ付近の側面図          （ｂ）便蓋が開いているストッパ付近の側面図
【発明を実施するための形態】
【００１７】
以下、本発明の実施の形態について図面を参照しつつ説明する。なお、各図面中、同様の構成要素には同一の符号を付して詳細な説明は適宜省略する。図１及び図２は、本発明の実施の形態にかかるトイレ装置１００を例示する斜視模式図である。図１に表したトイレ装置１００は、洋式腰掛便器１０の上に設けられている。トイレ装置１００は、ケーシング４００と、便座２００と、便蓋３００と、を有する。便座２００と便蓋３００は、ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサが設けられている。着座検知センサが便座２００に座った使用者を検知している場合において、使用者が例えばリモコンなどの図示しない操作部を操作すると、洗浄ノズルを便器８００のボウル８０１内に進出させることができる。そして、洗浄ノズルは、その先端部に設けられた吐水口から水を噴射して、便座２００に座った使用者の「おしり」などを洗浄することができる。本発明において、身体洗浄機能部は必ずしも必要ではない。本実施例は、タンク２０に洗浄水を貯水し、便器１０を洗浄する衛生便器であるが、タンク２０に貯水するものではなく、水道直圧式の衛生便器であってもよい。
【００１８】
図１は、便座２００と便蓋３００が、いずれも閉じた状態を表す。図１に表したように、便蓋３００は、閉じた状態において便座２００の上を覆うことができる。図２は、便座２００が閉じて、便蓋３００が開いた状態を表す。本明細書においては、トイレ装置１００の便蓋３００の先端側を前方、便蓋３００の軸支される側を後方とし、トイレ装置１００の前に立った使用者からみて左側方、右側方、鉛直方向に沿って上方、下方として説明する。
【００１９】
便蓋３００は、後縁部３１０と、天面部３２０と、ヒンジ部３３０と、を有する。
後縁部３１０は、便蓋３００の左右方向に延びる後方の縁である。
天面部３２０は、便座２００の着座面の上を開閉自在に覆う。すなわち、天面部３２０は、便蓋３００が閉じた状態（図１参照）において、便座２００の上を覆う部分である。便蓋３００は、ケーシング４００の上の少なくとも一部を覆う。
ヒンジ部３３０は、ケーシング４００から突出した図示しない支持軸に軸支され、便蓋３００の開閉の動作の支点となる部分である。なお、ヒンジ部３３０は、便蓋３００をモータによって電動で開閉する自動開閉ユニットや緩閉止ユニットを介してケーシング４００と結合あるいは嵌合あるいは接続されてもよい。
【００２０】
次に便蓋３００及びストッパ４１０の構造の具体例について説明する。図３に表した平面図は、実施例を真上から見下ろした図である。ケーシング４００の背面部４２０は、ケーシング４００に、軸支される便蓋３００のヒンジ部３３０の軸より、後方部分である。詳しくは、ケーシング４００の後方においてタンク２０と対向するように略垂直な立壁である。ストッパ４１０は、背面部４２０から突出して形成されており、ケーシング４００上面視、半楕円形状となっている。本実施例のストッパ４１０は、これに限定されるものではなく、上面視矩形形状や半円形状などであってもよい。本実施例では、ストッパ４１０は背面部４２０の左右方向の中央に一つ形成されているが、例えば、ストッパ４１０を複数設け、多点で便蓋３００を支えてもよい。また、背面部４２０の左右幅全域をストッパ４１０として形成し、後縁部３１０を点ではなく面で支える構造としてもよい。
【００２１】
図４（ａ）は、本実施例の便蓋３００が閉じた状態のケーシング４００と便蓋３００の側面図である。ストッパ４１０は、背面部４２０から突設され一体的にケーシング４００に形成されている。本実施例のストッパ４１０の上面の傾斜部４１１は、背面部４２０から後方へ向かって下り傾斜している。具体的には、便蓋３００の当接する面は滑らかに丸みを帯びて、上向きに凸となるように円弧状になっている。ストッパ４１０はこれに限定されるものではなく、側面が、Ｄ形状、三角形状、となっていてもよい。
【００２２】
図４（ｂ）は、本実施例の便蓋３００が開いた状態のケーシング４００と便蓋３００の側面図である。図４（ｂ）に示すとおり、開状態の便蓋３００は便蓋３００の後縁部３１０がストッパ４１０の上面に当接し、自重によってそれ以上後方へ動かない位置（全開位置）にて停止する。
【００２３】
便蓋３００が全開位置にて停止するまでの、便蓋３００の動きを説明する。本実施例にあっては、便蓋３００が開動作を行う過程において、後縁部３１０がストッパ４１０と接触する直前の位置である直前位置において、まず後縁部３１０がストッパ４１０の上部に接触する。後縁部３１０は、撓みながらストッパ４１０の斜面を降りていき、摩擦によって開動作の勢いを漸次弱めて傾斜部４１１上を摺動する。その後、傾斜部４１１にて摺動している後縁部３１０は、全開位置にて停止する。これにより、便蓋３００が勢い良く開動作された場合であっても全開位置での停止時に振動や衝撃を生じることを抑制できる。
【００２４】
本実施例においては、図３のようにストッパ４１０が平面視で半楕円形状なので、後縁部３１０との接触は線接触となる。そのため両者の接触による摺動抵抗は小さく、便蓋３００を手動で開位置から閉じようとする使用者に閉動作を面倒に感じさせることもない。また便蓋３００をモータで開閉する構造であった場合には、高出力のモータを選定する必要がなく低コスト化が可能となる。また、モータの耐久性が低下するといった問題も生じない。
【００２５】
全開位置にて停止している便蓋３００に掃除中の外力が加わった際は、後縁部３１０はストッパ４１０の曲面に沿って変形していくので、ゆるやかに変形する。そのため、ストッパ４１０から後縁部３１０が脱落しても、急激な変化が起こらないので、脱落時の異音や不快感を抑制できる。
【００２６】
便蓋３００、ケーシング４００、は合成樹脂、例えばＰＰ（ポリプロピレン）で成形され、ストッパ４１０を弾性の富むゴム樹脂にて作られるトイレ装置１００は、便蓋３００が勢い良く開動作されてもストッパ４１０の弾性により、衝撃が吸収される。これにより、便蓋３００が勢い良く開動作された場合であっても全開位置での停止時に振動や衝撃を生じることを抑制できる。
【符号の説明】
【００２７】
１０  便器
２０  タンク
１００  トイレ装置
２００  便座
３００  便蓋
３１０  後縁部
３２０  天面部
３３０  ヒンジ部
４００  ケーシング
４１０  ストッパ
４１１  傾斜部
４２０  背面部
【図１】
2014094189.tif 000003
【図２】
2014094189.tif 000004
【図３】
2014094189.tif 000005
【図４】
2014094189.tif 000006
【図５】
2014094189.tif 000007